(57)【要約】【課題】ハンダ付け作業を必要とせず、ＬＥＤの交換・修理が容易で取り付けに便利なレールライトを提供すること。【解決手段】合成樹脂材からなる細長形のケースに、陽極と陰極の電極を取り付けたＬＥＤチップと弾性を有する導電体とを交互に密接して配列する。配列されたＬＥＤチップ・導電体を電源に直列に接続し、ＬＥＤチップの基部がケース溝に係合合致するとともにチップの中心がケース溝の外部に臨む。【選択図】          図１
2004191901.tif 000002
【特許請求の範囲】
【請求項１】
カーテンレール状に屈曲形成した合成樹脂材からなる細長形のケースに、陽極と陰極の電極を取り付けたＬＥＤチップと弾性を有する導電体とを交互に密接して配列し、且つ配列されたＬＥＤチップ・導電体を電源に直列に接続し、ＬＥＤチップの基部がケース溝に係合合致するとともに該チップの中心がケース外部に臨んでなる発光ダイオードのレールライト。
【請求項２】
導電体が導電ゴムからなる請求項１に記載の発光ダイオードのレールライト。
【請求項３】
導電体が導電性のバネ部材からなる請求項１に記載の発光ダイオードのレールライト。
【発明の詳細な説明】
【０００１】
【発明の属する技術分野】
本発明は、ＬＥＤ（発光ダイオード）をレール内に列設した発光ダイオードのレールライトに関する。
【０００２】
【従来の技術】
ＬＥＤを用いた発光表示体は多種多様に存在するが、一般的にはエポキシ樹脂からなるプリント基板にＬＥＤチップをハンダ付けで固着するか、プリント基板以外の屈曲性を有する素材を用いた場合であっても、ＬＥＤチップはケーブルにハンダ付けで固着する方法をとるのが通例である。
【０００３】
【発明が解決しようとする課題】
プリント基板による従来のＬＥＤ表示体は、ハンダ付け作業に熟練と手数を要し、そのため製品が高価になるのと、一旦基板に固着したＬＥＤは取り外しが困難で修正ができず、交換も容易でないため一部に不具合が生じると全体に影響して修復に労力と時間を要するといった問題がある。またプリント基板自体平板で例えば看板の円曲した文字に沿って取り付けるようなときに少しく位置づれする不具合を生じることがあるなど、表示方法が限定されて画一的とならざるを得ない欠点もある。
【０００４】
またプリント基板以外の素材を用いた場合、画一化されない点では有効であるが、回路を形成するためにＬＥＤチップをケーブルにハンダ付けし、その後の組み立てを屈曲性のある素材にて完成させなければならず、結局はハンダ付けと組み立ての工程を経るという手間のかゝる問題がある。
【０００５】
本発明はこのような従来技術のようにハンダ付け作業を必要としないため組み立ての作業効率がよく、製品を安価に得られるとともに、ＬＥＤの交換も容易で一部に不具合が生じても修復が容易であり、画一的表示でなく、取り付けも容易で応用範囲の広いユニークなレールライトを提供することを目的とする。
【０００６】
【課題を解決するための手段】
そのために本発明は、カーテンレール状に屈曲形成した合成樹脂材からなる細長形のケース１に、陽極と陰極の電極１１を取り付けたＬＥＤチップ１０と弾性を有する導電体１２とを交互に密接して配列し、且つ配列されたＬＥＤチップ１０・導電体１２を電源に直列に接続し、ＬＥＤチップ１０の基部１０ａがケース溝５に係合合致するとともに該チップの中心１０ｂがケース溝５の外部に臨んでなることを主旨としている。
【０００７】
上記の導電体１２としては、電子機器の接点等に利用されている導電性のよい導電ゴムＧを使用すると効果的である。
【０００８】
また他の導電体１２として、機械的性質のよいリン青銅などの金属素材からなる導電性バネ部材Ｂを用いても同様の効果をあげることができる。
【０００９】
【発明の実施の形態】
図面を参照して本発明を説明すると、図１（ａ）〜（ｈ）において１は底片２と両側片３からなり、両側片３の端部に内向きの小片４を形成してカーテンレール状とした、合成樹脂材からなる一体型の細長形ケースであり、ケース溝５の左右に小溝６を凹設している。
【００１０】
１０は前後に陽極と陰極の電極１１を取り付けたＬＥＤチップで、１２は導電ゴムＧからなる導電体である。ＬＥＤチップ１０と導電体１２は、前記ケース１内に収納される大きさのもので、交互に密接して多数個配列され、配列されたＬＥＤチップ１０は陽極と陰極の電源２０に直列に接続される。
【００１１】
ＬＥＤチップ１０は、基部１０ａ（図では下部）がケース溝５と合致して係合し、中心１０ｂがケース溝５の外部（図では上部）に突出するもので、基部１０ａは小片４によって外部への脱出が阻止される。
【００１２】
陽極と陰極の電源２０は、ケース１端部に着脱可能に係合した合成樹脂の支持体２０ａに固着され、ケース１内にあってＬＥＤチップ１０に密着させた平面Ｕ字形で両側を窄めた導電バネ３０内に、該バネの両側からの付勢で圧接固定される。そして陽極電源２０に接続した端子からケース溝５に凹設してある小溝６を通って、被覆されたプラスとマイナスのコード４０が他方の電源に至るもので、スイッチオンされることでコード４０に電流が流れ、直列に配列したＬＥＤチップ１０が点灯する。
【００１３】
ＬＥＤチップ１０間に配設された導電体１２となる導電ゴムＧは、エアコンのリモコン、携帯電話のボタンやパソコンのキーボード等のスイッチ（接点）として広く利用されている素材であり、弾性があってＬＥＤチップ１０と組み合わせることで相互が密着し、直列につながれている電流の流れがスムーズとなる。ＬＥＤチップ１０は前後の導電体１２の弾性付勢で配列状態に齟齬をきたすことがないため、点滅が正確に作動する。
【００１４】
ケース１の長さは任意であり、長尺のものを切断して使用することで随所に設置でき、また通常は所定長さのものをつなぎ合わせて使用し、その場合は当然ながら図２のように陽極から陽極、陰極から陰極へとコード４１が接続される。導電体１２が介在するとはいえ、ＬＥＤチップ１０同士を近接し過ぎると発熱するおそれがあり、このため導電体１２には適度な間隔となる１０ミリ程度の長さを持たせることとする。
【００１５】
ＬＥＤチップ１０は図示のように中心１０ｂのレンズを膨隆状にするとケース１上部に突出するが、ＬＥＤチップ１０には種々の形のものがあり、例え図３（ａ）のように上下に段差がなく、周面が方形で中心１０ｂに円形のレンズが面一状に埋設されているものもあるが、この場合は上面がケース１の小片４によって抑止されるため中心１０ｂがケース１上部に突出はしないが機能は同一である。
【００１６】
上記の導電体１２は導電ゴムＧとしたが、図３（ｂ）のように導電性のバネ部材Ｂで導電体１２を形成しても同様の効果を奏することが可能である。特にリン青銅のように機械的性質がよく、耐食性に優れるものが好ましい。すなわち図３（ｃ）のようにバネの弾性が隣接する前後のＬＥＤチップ１０を圧接することで接触力が密になり配列状態が不動的に保たれとともに、その導電性で電気の流れが滞ることがない。
【００１７】
なお上述した説明におけるケース１、ＬＥＤチップ１０等の部材の形容はあくまで一例であって、本発明はこれらの記載に限定されないものであること勿論である。
【００１８】
【発明の効果】
本発明では、ＬＥＤチップが導電体とともにカーテンレール状に屈曲形成したケース内に、脱出することなく確固として配置され、したがってプリント基板等にハンダ付けするような面倒な手間がかゝらず、作業に熟練を要することもないので労力を節して製品を安価に提供できる。
【００１９】
ケースの長さは任意とすることができ、長大な装置といえどもケースをつなぎ合わせることで所定の長さが確保でき、また長短のケースを組み合わせることにより画一的でない変化に富んだユニークなレールライトとすることができ、更にケースがカバーとなってＬＥＤチップは保護され且つその位置は不動となる。
【００２０】
ＬＥＤチップと導電体はケース内に交互に配設されたもので夫々が独立した存在であり、水平方向に引き抜くことで取り外しが容易にでき、例えば一部に不具合が生じても交換することで迅速に修復作業ができる。
【００２１】
導電体を導電ゴムとすることで素材の有する弾性が遺憾なく発揮され、隣接するＬＥＤチップと緊密に接することができて通電効果もよく、導電ゴム自体安価であるため製品のコストダウンが図られ、ノイズの発生を抑止でき且つ静電気対策にもなるなど製品の品質向上に裨益するところ少なくない。
【００２２】
導電体を導電性のバネ部材とすることでＬＥＤチップとの密着度が頗る確実強固となり、耐食性の素材を用いることで長期使用に適する。
【図面の簡単な説明】
【図１】本発明を示し、（ａ）はケースの一部斜視図、（ｂ）はＬＥＤチップの斜視図、（ｃ）は導電ゴムからなる導電体の斜視図、（ｄ）はＬＥＤチップ及びコードとケースの係合状態断面図、（ｅ）は導電バネの斜視図、（ｆ）は電源部材の斜視図、（ｈ）は全体概略断面図、（ｇ）は全体概略平面図である。
【図２】ケースをつなぎ合わせた説明図である。
【図３】ＬＥＤチップと導電体の変形例を示し、（ａ）はＬＥＤチップ（ｂ）は導電体の各斜視図、（ｃ）は同上のものを収納したケースの断面図である。
【符号の説明】
１    ケース            ５    ケース溝          １０  ＬＥＤチップ
１０ａ基部              １０ｂ中心              １１  電極
１２  導電体            Ｇ    導電ゴム          Ｂ    導電性バネ部材
【図１】
2004191901.tif 000003
【図２】
2004191901.tif 000004
【図３】
2004191901.tif 000005